(57)【要約】【課題】緊急レベルを威嚇・撃退段階か、警報発信段階かを判断することができて、長期間使用しても信頼性を維持することが可能な侵入検知装置を提供する。【解決手段】フェンス６の上部に設置される横桟１と、該横桟１の両端を支持するために立設された縦枠３と、該縦枠３の少なくとも一つの上部に内蔵された検知部２とからなる侵入検知装置であって、上記検知部２はラック２１とピニオン２２および該ピニオン２２の回転量を検出する回転量検出手段とから構成され、上記横桟は、横桟固定部１２と、それを覆うようにバネ４を介して弾設された横桟可動部１１からなるとともに、横桟可動部１１の端面に付設された検知部２のラック２１の上下運動に連動してピニオン２２が回転する。【選択図】図４
2004334769.tif 000002
【特許請求の範囲】
【請求項１】
フェンスの上部に設置される横桟と、該横桟の両端を支持するために立設された縦枠と、該縦枠の少なくとも一つの上部に内蔵された検知部とからなる侵入検知装置であって、上記検知部はラックとピニオンおよび該ピニオンの回転量を検出する回転量検出手段とから構成され、上記横桟は、上記縦枠に固定される横桟固定部と、この横桟固定部を覆うようにバネを介して弾設された横桟可動部からなるとともに、この横桟可動部の端面には上記ラックが付設され、上記横桟可動部と一体的なラックの上下運動に連動してピニオンが回転することを特徴とする侵入検知装置。
【請求項２】
上記ピニオンが荷重の変動をアナログ検知して回転量に変換し、緊急レベルを威嚇・撃退段階か、警報発信段階かを判断するようにされた請求項１に記載の侵入検知装置。
【請求項３】
上記回転量検出手段がフォトインタラプタである請求項１に記載の侵入検知装置。
【請求項４】
上記バネが所定の荷重を超えるまで、回転量検出手段が検出出力を発信しないようにした請求項１に記載の侵入検知装置。
【請求項５】
上記横桟可動部の端面に付設されるラックが、上記横桟可動部の端部を覆う横桟キャップと一体成型したものである請求項１に記載の侵入検知装置。
【発明の詳細な説明】
【０００１】
【発明の属する技術分野】
本発明は、侵入検知装置に関する。さらに詳しくは、家屋の周辺に設けられる、フェンス、門扉、塀等に付設して、不審者の侵入を検知し、威嚇、撃退ないしは、警報発信を行うことのできる侵入検知装置に関する。
【０００２】
【従来の技術】
近年、犯罪が多発する傾向にあるため、一般家庭においても防犯意識が向上し、種々の防犯、警報装置をフェンス、門扉、塀等に設けることが盛んに行われている。このような状況に対処して、赤外線や超音波を利用する検知方式、あるいは荷重を検知する方式等、各種の検知装置が提案されている。上記のうち、前者の方式では、落ち葉、犬、猫等対象外の物体をも検知し、誤報が多いという問題がある。また、後者の荷重検知方式においても、種々の改良技術が提案されている（例えば、特許文献１、２、３、４、５参照。）。
【０００３】
【特許文献１】
特開平３−１４４８９６号公報（第１−３頁、第１〜３図）
【特許文献２】
特開昭６４−６４７８号公報（第１−４頁、第１〜３図）
【特許文献３】
特開昭５２−８２８３７号公報（第１−２頁、第１、２図）
【特許文献４】
特開昭５３−２０８００号公報（第１−２頁、第１、２図）
【特許文献５】
特開昭５５−１２３７９６号公報（第１−３頁、第１〜４図）
【０００４】
【発明が解決しようとする課題】
上記荷重検知方式は、荷重の変動をアナログ検知する荷重センサ方式と、オン・オフ検知するリミットスイッチ方式に大別され、それぞれ、一長一短がある。例えば、荷重センサ方式では、侵入者が、フェンスに手を掛ける状態から、よじ登るまでの荷重の変動を荷重センサでアナログ式に検知し、よじ登る前では、威嚇・撃退、フェンスを乗り越える時には警報というように緊急のレベルを段階的に発信することができる。しかしながら、荷重センサは、検知部に直接負荷がかかるため、部品類の損耗が激しく長期信頼性に不安があるという問題がある。一方、リミットスイッチ方式は長期の使用が可能であるが、オン・オフ検知であるため、即警報を発信し、荷重センサ方式のように、威嚇・撃退というレベルを発信することができず、機能的な面で劣るという問題がある。本発明は、このような状況の下で考え出されたものであって、侵入者に対して、荷重を回転量に変換し該回転量と荷重との関係から、緊急レベルを威嚇・撃退段階か、警報発信段階かを判断することができるとともに、長期の使用に対しても信頼性を維持することが可能な侵入検知装置を提供することを、その課題とする。
【０００５】
【課題を解決するための手段】
本発明は、上記課題を解決するために、つぎのような技術的手段を講じている。すなわち、本発明によれば、フェンスの上部に設置される横桟と、該横桟の両端を支持するために立設された縦枠と、該縦枠の少なくとも一つの上部に内蔵された検知部とからなる侵入検知装置であって、上記検知部はラックとピニオンおよび該ピニオンの回転量を検出する回転量検出手段とから構成され、上記横桟は、上記縦枠に固定される横桟固定部と、この横桟固定部を覆うようにバネを介して弾設された横桟可動部からなるとともに、この横桟可動部の端面には上記検知部のラックが付設され、上記横桟可動部と一体的なラックの上下運動に連動してピニオンが回転することを特徴とする侵入検知装置が提供される。このようにすることによって、侵入者に対して、上記ピニオンの回転量と荷重の関係から、緊急レベルを段階的に検知することができるとともに、検知部に直接、荷重がかからない非接触検知であるため、長期の使用に対しても信頼性を維持することができる。
【０００６】
上記ピニオンが荷重の変動をアナログ検知して回転量に変換し、緊急レベルを威嚇・撃退段階か、警報発信段階かを判断するようにされる。このようにすることによって、侵入者が、横桟に手を掛ける状態で、威嚇信号を発して撃退することができるとともに、フェンスを乗り越える場合には緊急事態発生を知らせることができる。
【０００７】
上記回転量検出手段がフォトインタラプタであることが好ましい。赤外線を光源として用い、光電スイッチと組み合わせることにより、昼夜を問わず、侵入者に対処することができる。
【０００８】
上記バネが所定の荷重を超えるまで、回転量検出手段が検出出力を発信しないようにすることが好ましい。このようにすることにより、小鳥や猫等の小動物、積雪等の重量で既述の横桟可動部が下方に移動しないため、検知部の誤作動を防ぐことができる。
【０００９】
上記横桟可動部の端面に付設されるラックが、上記横桟可動部の端部を覆う横桟キャップと一体成型したものとすることが好ましい。このようにすることにより、組立が容易で、かつ、部品の点数も減らすことができる。
【００１０】
【発明の実施の形態】
以下、本発明の好ましい実施の形態について、図面を参照して、さらに詳細に説明する。図１は、本発明にかかる侵入検知装置を示す正面図であり、フェンス６の上部に設置されるとともに、横桟固定部１２と、この横桟固定部１２を覆うようにバネ４を介して弾設された横桟可動部１１とからなる横桟１と、この横桟１の両端を支持するために立設された縦枠３と、右縦枠３の上部に内蔵された検知部２とから構成される。図２に、荷重がかからない場合の図１におけるＡ−Ａ線に沿う側断面図を、図３は、同じく、侵入者がフェンスを乗り越えようとして荷重がかかり、図２における矢印方向に横桟可動部１１が下がった状態を示す側断面図を示す。図４は、上記検知部２を、右縦枠３の上部を破断して示す斜視図である。
【００１１】
図１、図２からよくわかるように、縦枠３に固定された横桟固定部１２にはバネ４が内設されており、バネ４の弾性反発力によって横桟可動部１１は上に押し上げられ、通常は、横桟可動部係止部１１１と横桟固定部係止部１２１とが弾性係止して横桟１を構成している。しかし、侵入者が横桟１に手をかけると、図２における矢印の方向に横桟可動部１１が下がって図３に示す状態となり、検知部２に異常事態発生を発信する。なお、図２、図３において、符号５は、横桟可動部１１の端部を覆う横桟キャップ１３を固定するためのビスホールを示す。
【００１２】
以下、本発明の侵入検知装置の動作について、図１、２、３、４を用いて説明する。図４からよくわかるように、検知部２は、横桟可動部１１の端部を覆う横桟キャップ１３と一体成型されたラック２１、ラック２１の上下運動を回転運動に変換させるピニオン２２、ピニオン２２を回動自在に支持するシャフト２３、フォトインタラプタ２５および、フォトインタラプタ２５からの赤外線を遮光する遮光板２４とからなる。通常、フォトインタラプタ２５からの赤外線は、遮光板２４で遮られることがないため、図示しない光電スイッチでは、信号を発しないオフ状態とされている。
【００１３】
しかし、侵入者がフェンスをよじ登り、横桟１に手をかけると、横桟可動部１１は、上記に説明したように、図３に示す状態となり、図４に示すラック２１が横桟可動部１１と連動して下方に移動する。このとき、ピニオン２２は矢印方向に回動し、遮光板２４がフォトインタラプタ２５からの赤外線を遮るため、光電スイッチで検知されオンの状態となる。この動作は、別途設けられた警報発信システムに送信され、警報発信システムでは、受信した信号をマイクロプロセッサで解析し、威嚇・撃退段階か、警報発信段階かを判断し、例えば、威嚇・撃退段階であればブザーを鳴らし、警報発信段階であれば、サイレンを鳴らすと同時に、警察、警備会社等に通報する等の処置をとる。
【００１４】
威嚇・撃退段階か、警報発信段階かの判断は、ピニオン２２のアナログ的な回転運動と連動する遮光板２４の移動量によって判断される。例えば、図４からよくわかるように、ピニオン２２のアナログ的な回転量は、遮光板２４が矢印方向に移動する数を、光電スイッチのオン・オフでカウントすることによって検出される。すなわち、上記ピニオン２２が荷重の変動をアナログ検知して回転量に変換しているため、このカウント数によって、威嚇・撃退段階か、警報発信段階かを判断することができる。
【００１５】
上記に説明したように、荷重に連動するピニオン２２の回転量を、光電スイッチでカウントするため、威嚇・撃退段階、警報発信段階に加えて、さらに、他の段階の警報をも発信することも可能となる。なお、上記は、フェンス６に本発明の侵入検知装置を設けた場合について述べたが、フェンス６のみならず、門扉、塀等に取り付けることが可能であり、いずれの場合も本発明の技術範囲に含まれる。
【００１６】
【発明の効果】
以上述べたように、請求項１に記載の発明は、上記のように構成され、とくに、横桟可動部１１の端面に付設された検知部２のラック２１が上下運動し、この上下運動に連動してピニオン２２が回転することを特徴とする。このようにすることによって、上記ピニオン２２の回転量と荷重の関係から、緊急レベルを段階的に判断することができ、また、検知部２に直接、荷重がかからない非接触検知であるため、長期の使用に対しても信頼性を維持することができる。
【００１７】
請求項２に記載の発明は、上記ピニオン２２が荷重の変動をアナログ検知して回転量に変換し、緊急レベルを威嚇・撃退段階か、警報発信段階かを判断するようにされる。このようにすることによって、請求項１に記載の発明の効果に加えて、侵入者が、横桟１に手を掛ける状態で、威嚇信号を発して撃退することができるとともに、フェンス６を乗り越える場合には緊急事態発生を知らせることができる。
【００１８】
請求項３に記載の発明は、回転量検出手段がフォトインタラプタ２５とされる。赤外線を光源として用い、光電スイッチと組み合わせることにより、請求項１に記載の発明の効果に加えて、昼夜を問わず、侵入者に対処することができる。
【００１９】
請求項４に記載の発明は、上記バネ４が所定の荷重を超えるまで、回転量検出手段が検出出力を発信しないようにされる。このようにすることにより、請求項１に記載の発明の効果に加えて、小鳥や猫等の小動物、積雪等の重量で既述の横桟可動部１１が下方に移動しないため、検知部２の誤作動を防ぐことができる。
【００２０】
請求項５に記載の発明は、上記横桟可動部１１の端面に付設されるラック２１が、上記横桟可動部１１の端部を覆う横桟キャップ１３と一体成型したものとされる。このようにすることにより、請求項１に記載の発明の効果に加えて、組立が容易で、かつ、部品の点数も減らすことができる。
【図面の簡単な説明】
【図１】本発明の侵入検知装置を示す正面図である。
【図２】荷重がかからない場合の図１におけるＡ−Ａ線に沿う側断面図である。
【図３】荷重がかかる場合の図１におけるＡ−Ａ線に沿う側断面図である。
【図４】検知部を示す一部破断斜視図である。
【符号の説明】
１          横桟
１１        横桟可動部
１１１      同上係止部
１２        横桟固定部
１２１      同上係止部
１３        横桟キャップ
２          検知部
２１        ラック
２２        ピニオン
２３        シャフト
２４        遮光板
２５        フォトインタラプタ
３          縦枠
４          バネ
５          ビスホール
６          フェンス
【図１】
2004334769.tif 000003
【図２】
2004334769.tif 000004
【図３】
2004334769.tif 000005
【図４】
2004334769.tif 000006